(57)【要約】【課題】本発明の目的は、発光ダイオード照明装置を提供することにある。本発明のもう一つの目的は、特定の照射形状を形成することが可能な二次的な光学装置を備えた発光ダイオード照明装置を提供することにある。【解決手段】本発明は、Ｎ個のダイオード発光装置及びＮ個の光学手段を含んで構成された発光ダイオード照明装置を提供するものである。Ｎは自然数である。光学手段は、それぞれがレンズを有している。光学手段は、それぞれがダイオード発光装置の一と対応しており、対応するダイオード発光装置の照射形状を調整する。本実施形態では、それぞれの光学手段には猫眼形レンズが用いられている。レンズ表面には、レンズの楕円短軸に沿って溝が形成されている。このため、レンズを介して放出された光は、特定の要求を満たす照射形状を形成することができる。【選択図】図２
2010515208.tif 000002
【特許請求の範囲】
【請求項１】
第１表面部と、該第１表面部に対向する第２表面部とを有する放熱板と、
前記放熱板の前記第２表面部から延出して設けられた複数の放熱フィンと、
それぞれが、第１構成部材と、前記第１構成部材から延出し、端部が平面状に形成された第２構成部材とを有し、該第１構成部材が前記放熱板の第１表面部に取付けられている、Ｎ個の第１熱伝導部材（以下、Ｎは自然数を示す）と、
それぞれが、前記第１熱伝導部材の平面状に形成された端部上に配置され、電気エネルギーを光に変換する、Ｎ個のダイオード発光装置と、
それぞれが、前記ダイオード発光装置の一と対応し、対応するダイオード発光装置の照射形状を修正する、Ｎ個の光学手段と、
第１外周部と、第２外周部とを有し、前記放熱フィンを空気中にさらすため及び前記第１熱伝導部材及び前記ダイオード発光装置を収容するための空間を形成するために該第１外周部を介して放熱板と接合される中空枠体と、
前記中空枠体の第２外周部と接合される透明保護部材と、
を含んで構成されていることを特徴とする発光ダイオード照明装置。
【請求項２】
前記光学手段が、それぞれ支持体とレンズとを有し、該支持体が、対応するダイオード発光装置と着脱可能に接合されていることを特徴とする、請求項１に記載の発光ダイオード照明装置。
【請求項３】
前記支持体が、第１開口部と第２開口部とを有し、前記第１開口部は、対応するダイオード発光装置と接合され、前記第２開口部は、前記レンズを収容することを特徴とする、請求項２に記載の発光ダイオード照明装置。
【請求項４】
前記レンズが、楕円形レンズ、円形レンズ、猫眼形レンズ、不整形レンズ、及び多角形レンズから成るグループから選択されることを特徴とする、請求項３に記載の発光ダイオード照明装置。
【請求項５】
前記Ｎ個の光学手段が、第１光学手段と第２光学手段とを有し、前記第１光学手段のレンズと前記第２光学手段のレンズとが同じ種類のレンズであることを特徴とする、請求項４に記載の発光ダイオード照明装置。
【請求項６】
前記Ｎ個の光学手段が、第１光学手段と第２光学手段とを有し、前記第１光学手段のレンズと前記第２光学手段のレンズとが異なる種類のレンズであることを特徴とする、請求項４に記載の発光ダイオード照明装置。
【請求項７】
前記中空枠体内に配置され、前記空間を第１空間及び第２空間に分割する仕切板をさらに有し、該仕切板にはＮ個の第１貫通孔が形成され、前記ダイオード発光装置は、それぞれが該Ｎ個の第１貫通孔の一に対応していることを特徴とする、請求項１に記載の発光ダイオード照明装置。
【請求項８】
前記光学手段が、それぞれ支持体とレンズとを有し、該支持体が前記仕切板と着脱可能に接合されていることを特徴とする、請求項７に記載の発光ダイオード照明装置。
【請求項９】
前記支持体が、第１開口部と第２開口部とを有し、前記第１開口部は、該支持体を前記仕切板と接合するための複数のフックを有し、前記第２開口部は、前記レンズを収容することを特徴とする、請求項８に記載の発光ダイオード照明装置。
【請求項１０】
前記レンズが、楕円形レンズ、円形レンズ、猫眼形レンズ、不整形レンズ、及び多角形レンズから成るグループから選択されることを特徴とする、請求項８に記載の発光ダイオード照明装置。
【請求項１１】
前記猫眼形レンズが表面を有し、該表面上において方向を定義し、該表面上における該方向に沿って溝が形成されていることを特徴とする、請求項１０に記載の発光ダイオード照明装置。
【請求項１２】
前記方向が前記レンズの楕円短軸であることを特徴とする、請求項１１に記載の発光ダイオード照明装置。
【請求項１３】
前記仕切板が、遮熱し得ることを特徴とする、請求項７に記載の発光ダイオード照明装置。
【請求項１４】
前記第１空間に配置された遮熱板をさらに有し、該遮熱板にはＮ個の第２貫通孔が形成され、それぞれの前記第１熱伝導部材を構成する前記第２構成部材は、該第２貫通孔の一と対応しており、対応する該第２貫通孔を貫通していることを特徴とする、請求項７に記載の発光ダイオード照明装置。
【請求項１５】
前記第１熱伝導部材の一を構成する前記第２構成部材を覆うように配置された断熱スリーブをさらに含んで構成されていることを特徴とする、請求項１４に記載の発光ダイオード照明装置。
【請求項１６】
前記放熱板が、該放熱板の前記第１表面部上に形成されたＮ個の第１溝を有し、それぞれの前記第１熱伝導部材を構成する前記第１構成部材は前記第１溝の一にそれぞれ対応して取付けられていることを特徴とする、請求項１に記載の発光ダイオード照明装置。
【請求項１７】
それぞれの前記第１熱伝導部材の前記第１構成部材と、それに対応する前記第１溝との間に熱伝導材料が充填されていることを特徴とする、請求項１６に記載の発光ダイオード照明装置。
【請求項１８】
前記放熱板の前記第１表面部上に取付けられた複数の第２熱伝導部材をさらに含んで構成されていることを特徴とする、請求項１に記載の発光ダイオード照明装置。
【請求項１９】
前記放熱板が、該放熱板の前記第１表面部上に形成された複数の第２溝を有し、それぞれの前記第２熱伝導部材は前記第２溝上の一にそれぞれ対応して取付けられていることを特徴とする、請求項１８に記載の発光ダイオード照明装置。
【請求項２０】
それぞれの第２熱伝導部材と、それに対応する第２溝との間に熱伝導材料が充填されていることを特徴とする、請求項１９に記載の発光ダイオード照明装置。
【請求項２１】
断熱リングをさらに有し、前記中空枠体が前記断熱リングを介して前記放熱板と接合されていることを特徴とする、請求項１に記載の発光ダイオード照明装置。
【発明の詳細な説明】
【技術分野】
【０００１】
本発明は、発光ダイオード照明装置に関するものであり、さらに詳しくは、特定の照射形状を形成することが可能な二次的な光学装置を備えた発光ダイオード照明装置に関するものである。
【背景技術】
【０００２】
発光ダイオード（ＬＥＤ）は、節電、耐振、高速応答、生産能力などに関して有利な点を有する。このため、ＬＥＤを光源として備えた照明装置が、現在、研究開発されている。図１Ａ及び図１Ｂを参照する。図１Ａは、アレイ状に配置された複数のＬＥＤを備えた照明装置の正面図を示すものである。図１Ｂは、図１ＡにおけるＸ−Ｘ線に沿った断面図を示すものである。図１Ａ及び図１Ｂに示すように、照明装置は、複数のＬＥＤをアレイ状に配置することによって高輝度を得る。さらに、それぞれのＬＥＤから放出された光を反射させて集光するために、それぞれのＬＥＤをカップ状に相当する形状に形成することで、さらなる高輝度が得られる。しかしながら、このような方法では、せいぜい光を等方的に集中させることができるにすぎず、特定の目的を達成するための特定の照射形状を形成することはできない。よって、このような照明装置の使用できる範囲は限られている。
【０００３】
したがって、上述した問題を解決するためには、特定の照射形状を形成することが可能な新たな発光ダイオード照明装置を提供することが必要である。
【発明の概要】
【発明が解決しようとする課題】
【０００４】
本発明の目的は、発光ダイオード照明装置を提供することにある。
【０００５】
本発明のもう一つの目的は、特定の照射形状を形成することが可能な二次的な光学装置を備えた発光ダイオード照明装置を提供することにある。
【課題を解決するための手段】
【０００６】
本発明の好ましい実施形態によれば、本発明の発光ダイオード照明装置は、放熱板と、Ｎ個の熱伝導部材と、Ｎ個のダイオード発光装置と、Ｎ個の光学手段と、中空枠体と、透明保護部材とを含んで構成されている。Ｎは自然数である。放熱板は、第１表面部と、前記第１表面部に対向する第２表面部を有する。前記第２表面部には複数の放熱フィンが当該第２表面部から延出して設けられている。熱伝導部材は、それぞれが第１構成部材と、前記第１構成部材から延出し、端部が平面状に形成された第２構成部材とを有する。ダイオード発光装置は、それぞれがＮ個ある熱伝導部材の一と対応している。ダイオード発光装置は、それぞれが対応する熱伝導部材の平面状に形成された端部上に配置され、電気エネルギーを光に変換する。光学手段は、それぞれがダイオード発光装置の一と対応し、それに対応するダイオード発光装置の照射形状を修正する。中空枠体は、第１外周部と第２外周部とを有する。中空枠体は、第１外周部を介して放熱板と接合されることにより、放熱フィンが空気中にさらされ、熱伝導部材及びダイオード発光装置を収容するための空間を形成する。透明保護部材は、前記中空枠体の第２外周部と接合されている。
【０００７】
本実施形態によれば、本発明の発光ダイオード照明装置は、中空枠体の内部に配置され、前記空間を第１空間と第２空間に分割する仕切板をさらに含んで構成されている。仕切板は、Ｎ個の貫通孔を有する。ダイオード発光装置は、それぞれが前記Ｎ個の貫通孔の一と対応している。
【０００８】
光学手段は、それぞれが支持体及びレンズを含んで構成されている。支持体は着脱可能なように仕切板と接合されている。支持体は、第１開口部と第２開口部とを有する。第１開口部は、支持体を仕切板に接合するための複数のフックを有し、第２開口部はレンズを収容する。レンズは、楕円形レンズ、円形レンズ、猫眼形レンズ、不整形レンズ、多角形レンズ、あるいはその他の種類のレンズ（あるいは複数のレンズ）であってもよい。本実施形態によれば、レンズは猫眼形レンズである。前記レンズは表面を有する。前記レンズの楕円短軸に沿ってレンズ表面上に溝が形成されていることによって、レンズを介して放出された光は特定の要求を満たす照射形状を形成する。
【０００９】
本発明の発光ダイオード照明装置は、Ｎ個の光学手段が、第１光学手段と第２光学手段とを有し、第１光学手段のレンズと第２光学手段のレンズとが同じ種類のレンズであることを特徴とする。前記第１光学手段のレンズ及び前記第２光学手段のレンズは異なる種類のレンズであってもよい。
【００１０】
本発明の発光ダイオード照明装置は、仕切板が、遮熱し得ることを特徴とする。
【００１１】
本発明の発光ダイオード照明装置は、第１空間に配置された遮熱板をさらに有し、遮熱板にはＮ個の第２貫通孔が形成され、それぞれの第１熱伝導部材を構成する第２構成部材は、第２貫通孔の一と対応しており、対応する第２貫通孔を貫通していることを特徴とする。
【００１２】
本発明の発光ダイオード照明装置は、第１熱伝導部材の一を構成する第２構成部材を覆うように配置された断熱スリーブをさらに含んで構成されていることを特徴とする。
【００１３】
本発明の発光ダイオード照明装置は、放熱板が、該放熱板の第１表面部上に形成されたＮ個の第１溝を有し、それぞれの第１熱伝導部材を構成する第１構成部材は第１溝の一にそれぞれ対応して取付けられていることを特徴とする。
【００１４】
本発明の発光ダイオード照明装置は、それぞれの第１熱伝導部材の第１構成部材と、それに対応する第１溝との間に熱伝導材料が充填されていることを特徴とする。
【００１５】
本発明の発光ダイオード照明装置は、放熱板の第１表面部上に取付けられた複数の第２熱伝導部材をさらに含んで構成されていることを特徴とする。
【００１６】
本発明の発光ダイオード照明装置は、放熱板が、該放熱板の第１表面部上に形成された複数の第２溝を有し、それぞれの第２熱伝導部材は第２溝上の一にそれぞれ対応して取付けられていることを特徴とする。
【００１７】
本発明の発光ダイオード照明装置は、それぞれの第２熱伝導部材と、それに対応する第２溝との間に熱伝導材料が充填されていることを特徴とする。
【００１８】
本発明の発光ダイオード照明装置は、断熱リングをさらに有し、中空枠体が断熱リングを介して放熱板と接合されていることを特徴とする。
【発明の効果】
【００１９】
したがって、それぞれのダイオード発光装置によって放出される光は、それぞれに対応するレンズによって修正され、道路照明のような特定の要求を満たす異方性の照射形状を形成する。実用的な応用として、本発明の発光ダイオード照明装置は、異なる要求を満たすようにレンズを調整あるいは設計することによって、異なる照射形状を形成することができる。
【００２０】
本発明に関する利益及びその精神は、添付した図面とともに以下の詳細な説明によって理解されるものである。
【図面の簡単な説明】
【００２１】
【図１Ａ】アレイ状に配置された複数のＬＥＤを備えた照明装置の正面図を示す。（従来技術）
【図１Ｂ】図１ＡにおけるＸ−Ｘ線に沿った断面図を示す。（従来技術）
【図２】本発明の好ましい実施形態に係る発光ダイオード照明装置の斜視図を示す。
【図３Ａ】図２におけるＹ−Ｙ線に沿った断面図を示す。
【図３Ｂ】図２におけるＺ−Ｚ線に沿った部分断面図を示す。
【図４Ａ】本発明の好ましい実施形態に係る光学手段の正面図を示す。
【図４Ｂ】図４ＡにおけるＷ−Ｗ線に沿った断面図を示す。
【図５】本発明の好ましい実施形態に係る発光ダイオード照明装置によって形成された照射形状の概略図を示すものであり、実線は水平角、点線は鉛直角を示す。
【図６】他の実施形態に係る発光ダイオード照明装置の断面図を示す。
【図７】さらに他の実施形態に係る発光ダイオード照明装置の断面図を示す。
【発明を実施するための形態】
【００２２】
図２、３Ａ及び３Ｂを参照する。図２は、本発明の好ましい実施形態に係る発光ダイオード照明装置の斜視図を示すものである。図３Ａは、図２におけるＹ−Ｙ線に沿った断面図を示すものである。図３Ｂは、図２におけるＺ−Ｚ線に沿った部分断面図を示すものである。
【００２３】
本実施形態によれば、発光ダイオード照明装置１は、放熱板１１と、６個の第１熱伝導部材１２と、６個のダイオード発光装置１３と、６個の光学手段１４と、中空枠体１５と、透明保護部材１６とを含んで構成されている。放熱板１１は、第１表面部１１２と、前記第１表面部１１２に対向する第２表面部１１４を有する。前記第２表面部１１４には複数の放熱フィン１７が当該第２表面部１１４から延出して設けられている。第１熱伝導部材１２は、それぞれが第１構成部材１２２と、前記第１構成部材１２２から延出し、端部（図示されていない）が平面状に形成された第２構成部材１２４とを有する。
【００２４】
注目すべき点は、ダイオード発光装置１３は、それぞれが第１熱伝導部材１２の一と対応している点、及び、それぞれが対応する第１熱伝導部材１２の平面状に形成された端部上に水平に取付けられている点である。したがって、作動中にそれぞれのダイオード発光装置１３から発生した熱は、それに対応する第１熱伝導部材１２の第１構成部材１２２及び第２構成部材１２４を介して前記平面状に形成された端部から放熱板１１及び放熱フィン１７へと伝導される。その後、放熱板１１及び放熱フィン１７により放熱が行われる。
【００２５】
発光ダイオード照明装置１を構成する放熱板１１の第１表面部１１２上には６個の第１溝（図示されていない）が形成されている。第１溝は、それぞれが第１熱伝導部材１２の一と対応している。それぞれの第１溝の形状は、それに対応する第１熱伝導部材１２の第１構成部材１２２の形状と適合するように形成されているため、放熱の効率が高まるように互いをしっかりと接触させることができる。これに加えて、それぞれの第１熱伝導部材１２の第１構成部材１２２と、それに対応する第１溝との間に熱伝導材料を充填することにより、放熱の効率をさらに高めることができる。
【００２６】
また、発光ダイオード照明装置１は、放熱板１１の第１表面部１１２上に固定された２個の第２熱伝導部材１８を有することで、放熱板１１及び放熱フィン１７両方の放熱効果を高めている。本実施形態に示すように、第２熱伝導部材１８及び第１熱伝導部材１２が混在するように配置することで、より良い放熱の効率を得ることができる。これに加えて、放熱板１１の第１表面部１１２上には、２個の第２溝（図示されていない）が形成されている。第２溝は、それぞれが第２熱伝導部材１８の一と対応している。それぞれの第２溝の形状は、それに対応する第２熱伝導部材１８の形状と適合するように形成されているため、放熱の効率が高まるように互いをしっかりと接触させることができる。それぞれの第２熱伝導部材１８と、それに対応する第２溝との間に熱伝導材料を充填することにより、放熱の効率をさらに高めることができる。なお、第２熱伝導部材１８の数及び配置は、上述した実施形態に限定されず、製品の全体的な構造や動作環境によって適宜選択される。原則として、上述したように第２熱伝導部材１８及び第１熱伝導部材１２が混在するように配置すれば、放熱板１１はより良い放熱の効果が得られる。
【００２７】
本実施形態によれば、光学手段１４は、それぞれがダイオード発光装置１３の一と対応し、それに対応するダイオード発光装置１３の照射形状を修正する。中空枠体１５は、外周部を介して放熱板１１と接合されることにより、放熱フィン１７が空気中にさらされ、第１熱伝導部材１２及びダイオード発光装置１３を収容するための空間Ｓを形成する。透明保護部材１６は、他方の外周部を介して中空枠体１５と接合され空間Ｓを塞ぐものであるが、本発明においては、必ずしも空間Ｓを塞ぐことを必要としない。また、中空枠体１５は、さらに断熱リング１９を介して放熱板１１と接合されることにより、放熱板１１から伝導される熱を低減あるいは断熱し、発光ダイオード照明装置１の断熱リング１９よりも上部側は高温であり、断熱リング１９よりも下部側は上部側に比べて低温である状態にすることができ、放熱の効果がより高められる。
【００２８】
本実施形態によれば、発光ダイオード照明装置１は、中空枠体１５の内部に配置され、前記空間Ｓを第１空間Ｓ１と第２空間Ｓ２に分割する仕切板２０をさらに含んで構成されている。仕切板２０は、６個の第１貫通孔２０２を有する。ダイオード発光装置１３は、それぞれが前記６個の第１貫通孔２０２の一と対応している。本実施形態によれば、ダイオード発光装置１３は、それぞれが対応する第１貫通孔２０２を貫通して第２空間Ｓ２（あるいは第１貫通孔２０２内）に配置されている。仕切板２０は、ダイオード発光装置１３、あるいは第１熱伝導部材１２を補助的に固定することができる。しかしながら、実用的な応用として、仕切板２０とダイオード発光装置１３の相対的な位置関係は、上述した実施形態に限定されない。
【００２９】
図４Ａ及び図４Ｂを参照する。図４Ａは、本発明の好ましい実施形態に係る光学手段１４の正面図を示すものである。図４Ｂは、図４ＡにおけるＷ−Ｗ線に沿った断面図を示すものである。本実施形態によれば、光学手段１４は、それぞれが支持体１４２及びレンズ１４４を含んで構成されている。支持体１４２は着脱可能なように、それに対応するダイオード発光装置１３と接合されている。支持体１４２は、第１開口部１４２２と第２開口部１４２４とを有する。第１開口部１４２２は、それに対応するダイオード発光装置１３と接合されている。第２開口部１４２４は、レンズ１４４を収容する。レンズ１４４は、楕円形レンズ、円形レンズ、猫眼形レンズ、不整形レンズ、多角形レンズ、あるいはその他の種類のレンズ（あるいは複数のレンズ）であってもよい。本実施形態によれば、レンズ１４４は猫眼形レンズである。前記レンズ１４４は表面１４４２を有し、表面１４４２上において方向Ｄを定義する。レンズ１４４の表面１４４２上における方向Ｄに沿って溝１４４４が形成されているため、レンズ１４４を介して放出された光は特定の要求を満たす照射形状を形成する。本実施形態において、方向Ｄとは、レンズ１４４の楕円短軸を示すものである。
【００３０】
図５を参照する。図５は、本発明の好ましい実施形態によって形成された照射形状の概略図を示すものである。形成された照射形状は、左右対称であり、発光ダイオード照明装置１が、従来の照射形状を左右に引き延ばした形状に修正できるため、道路照明に適用するのに最適である。実用的な応用として、本発明の発光ダイオード照明装置１は、異なるレンズに設定することにより異なる要求に対する照射形状を形成することができる。さらに、本発明において、レンズの材料は単一材料に限定されず、複合レンズを用いてもよい。例えば、レンズの中央部の屈折率がその周囲部の屈折率よりも低い、あるいは、レンズの屈折率が連続的に変化しているため、照射形状内における輝度は均一である。また、発光ダイオードのパッケージングに関する分野においては、集光効果を得る方法として、発光ダイオードをパッケージ材料で凸状にパッケージングできるパッケージを用いて簡単な正レンズを形成する方法もあれば、パッケージングされた後の上記発光ダイオードを正レンズで覆う方法もある。しかしながら、これらの方法では要求によって異なった照射形状を形成することはできない。これらとは対照的に、本発明の発光ダイオード照明装置は、光学手段１４を用いることによって、上述した２種類のパッケージ加工に基づいて製造された発光ダイオードを利用して要求された照射形状を効果的に形成することができる。
【００３１】
図６を参照する。図６は、他の実施形態に係る発光ダイオード照明装置１’の断面図を示すものである。前記実施形態と比較すると、発光ダイオード照明装置１’の仕切板２０’には、第１貫通孔２０２それぞれの近くに複数の貫通孔２０４が形成されている。また、それぞれの光学手段１４’を構成する支持体１４２’の第１開口部は、複数のフック１４２６を含んで構成されている。フック１４２６が貫通孔２０４に挿入されることにより、支持体１４２’が仕切板２０’と接合される。
【００３２】
図７を参照する。図７は、さらに他の実施形態に係る発光ダイオード照明装置１”の断面図を示すものである。前記実施形態と比較すると、発光ダイオード照明装置１”のそれぞれの光学手段１４”を構成する支持体１４２”の第１開口部は、複数のフック１４２６’を含んで構成されている。フック１４２６’がそれに対応する第１貫通孔２０２’に挿入されることにより、支持体１４２”が仕切板２０”と接合される。注目すべき点は、本発明の発光ダイオード照明装置に関して、支持体と仕切板の接合は、仕切板にフックを形成し、支持体に貫通孔を形成するように設計してもよい。このように設計された場合も、支持体と仕切板とを着脱可能に接合するという目的を達成することができる。これに加えて、ネジでネジ止めする方法でも同様に前記目的を達成することができる。
【００３３】
本発明の好ましい実施形態によれば、発光ダイオード照明装置１は、第１空間Ｓ１内に配置され、当該第１空間Ｓ１を第３空間Ｓ１２及び第４空間Ｓ１４に分割する遮熱板２１をさらに含んで構成してもよい。遮熱板２１は、６個の第２貫通孔２１２を含むものである。それぞれの第１熱伝導部材１２を構成する第２構成部材１２４は、第２貫通孔２１２の一と対応しており、対応する第２貫通孔２１２を貫通している。したがって、遮熱板２１が熱を隔離するため、放熱板１１に伝導された熱は、第４空間Ｓ１４の方へ放射あるいは伝導されることはない。これによって、ダイオード発光装置１３に対して熱が影響を与えるのを回避することができる。またさらに、第１熱伝導部材１２と第２貫通孔２１２の間に形成される隙間に断熱材料を充填することにより、断熱効果を高めることができる。これに加えて、発光ダイオード照明装置１は、第１熱伝導部材１２の一を構成する第２構成部材１２４であって、特に第４空間Ｓ１４内にある第２構成部材１２４を覆うように配置された断熱スリーブ２２をさらに含んで構成してもよい。このような構成とすれば、作動中にダイオード発光装置１３によって生み出された前記第１熱伝導部材１２に対する熱は第４空間Ｓ１４の方へ散逸しない。このため、放熱板１１の放熱効果をさらに高めることができる。注意すべき点は、仕切板２０が遮熱機能を有する場合は、構造を簡素化するために遮熱板２１を省略してもよいという点である。上述の構造は、図６及び図７に示すような上記で詳細に説明した実施形態にも適用されるものである。
【００３４】
上記説明は、同種類のレンズを使用した場合に基づくものであるが、ダイオード発光装置は、様々な照射形状を得られるようにそれぞれが異なるレンズに対応し得るものである。さらに、上記実施形態においては、第１熱伝導部材１２及び第２熱伝導部材１８は、伝熱管、伝熱柱、ベーパチャンバ、あるいは、その他の熱伝導部材であってもよい。第１熱伝導部材１２及び第２熱伝導部材１８は、銅、アルミニウム、あるいはその他の熱伝導率が高い材料で形成されている。ダイオード発光装置１３の一は、少なくとも一の発光ダイオードあるいはレーザーダイオードを含んで構成され、異なる色の発光ダイオードを用いることができる。
【００３５】
要するに、二次的な光学的構造が、本発明の発光ダイオード照明装置に深く関わっている。ダイオード発光装置によって形成される照射形状は、異なった要求を満たすために光学手段によって修正される。また、発光ダイオード照明装置は、光学手段を適宜調整、及び適宜設計することにより様々な照射形状を形成することができるので、さらに多様な要求を満たすことが可能となる。上記実施形態は道路照明に用いる場合に基づくものであるが、本発明は、これに限定されるものではない。本発明は、照明に対する要求であって、特に特定の照射形状を形成するためのいかなる要求に対しても適用されるものである。
【００３６】
上述した実施例及びその説明により、本発明の特徴点及びその精神は十分に記載されていると思われる。本発明の教示を保持するものであれば、数多くの変更及び修正を行い得るということは、当業者にとっては容易に認められることである。したがって、上記に開示した内容は、添付する特許請求の範囲に記載する内容によってのみ限定されるものであると解釈されるべきである。
【符号の説明】
【００３７】
１、１’、１”…発光ダイオード照明装置、１１…放熱板、１２…第１熱伝導部材、１３…ダイオード発光装置、１４、１４’、１４”…光学手段、１５…中空枠体、１６…透明保護部材、１７…放熱フィン、１８…第２熱伝導部材、１９…断熱リング、２０、２０’２０”…仕切板、２１…遮熱板、２２…断熱スリーブ、１１２…第１表面部、１１４…第２表面部、１２２…第１構成部材、１２４…第２構成部材、１４２、１４２’１４２”…支持体、１４４…レンズ、２０２、２０２’…第１貫通孔、２０４…貫通孔、２１２…第２貫通孔、１４２２…第１開口部、１４２４…第２開口部、１４２６、１４２６’…フック、１４４２…表面、１４４４…溝、Ｄ…方向、Ｓ…空間、Ｓ１…第１空間、Ｓ２…第２空間、Ｓ１２…第３空間、Ｓ１４…第４空間。
【図１Ａ】
2010515208.tif 000003
【図１Ｂ】
2010515208.tif 000004
【図２】
2010515208.tif 000005
【図３Ａ】
2010515208.tif 000006
【図３Ｂ】
2010515208.tif 000007
【図４Ａ】
2010515208.tif 000008
【図４Ｂ】
2010515208.tif 000009
【図５】
2010515208.tif 000010
【図６】
2010515208.tif 000011
【図７】
2010515208.tif 000012
【国際調査報告】
2010515208.tif 000013
2010515208.tif 000014
2010515208.tif 000015
2010515208.tif 000016
2010515208.tif 000017
2010515208.tif 000018